(57)【要約】      （修正有）【課題】光ファイバケーブルを保持する配線保持具に付されたステップルを、ハンマーを用いて適正に壁面などに打ち込むことができる配線保持具の打込み治具を提供する。【解決手段】光ファイバケーブルを保持する配線保持具に付されたステップルを、ハンマーを用いて打込む際に使用する配線保持具の打込み治具であり、治具本体１と打込み部材から構成される。治具本体１は、筒型に成形され、先端にステップルを受け入れる受入凹部１２を設けると共に、配線保持具の配線保持部材を押える押えゴム１１を設けている。打込み部材は、治具本体１内に摺動可能に挿入され、先端にステップルに当接する金属当て部材を設け、末端にハンマー用の打付け部２２を設けている。【選択図】図３
0003137578.tif 000002
【実用新案登録請求の範囲】
【請求項１】
光ファイバケーブルを保持する配線保持具に付されたステップルを、ハンマーを用いて打込む際に使用する配線保持具の打込み治具であって、
筒型に成形され、先端に該ステップルを受け入れる受入凹部を設けると共に、該配線保持具の配線保持部材を押える押え部を設けた治具本体と、
該治具本体内に摺動可能に挿入され、先端に該ステップルに当接する当て部を設け、末端にハンマー用の打付け部を設けた打込み部材と、
を備え、該治具本体の該受入凹部の内側両面に、該ステップルを受け入れてガイドするガイド溝が該打込み部材の摺動方向に形成されたことを特徴とする配線保持具の打込み治具。
【請求項２】
前記治具本体の先端の前記押え部は、前記配線保持部材の凹部に嵌合可能な押えゴムにより形成されたことを特徴とする請求項１記載の配線保持具の打込み治具。
【請求項３】
前記打込み部材の先端に設けたステップル用の前記当て部は、金属製の金属当て部材により形成されたことを特徴とする請求項１記載の配線保持具の打込み治具。
【請求項４】
前記治具本体と該治具本体内に挿入された前記打込み部材との間に、該打込み部材の抜けを防ぐための係止爪と係止部が設けられたことを特徴とする請求項１乃至３の何れかに記載の配線保持具の打込み治具。
【考案の詳細な説明】
【技術分野】
【０００１】
本考案は、光ファイバケーブルを、屋内、屋外、或いは配線盤内に配線する際に使用される配線保持具に付されたステップル（Ｕ字釘）を、壁面などにハンマーで打込む際に使用される配線保持具の打込み治具に関する。
【背景技術】
【０００２】
光ファイバケーブルを電話加入者の宅内電話線などに使用する場合、光ファイバケーブルを屋内や屋外の壁面或いは柱などに沿って配線することになるが、通常の電話線と同様に、ステップルを用いて光ファイバケーブルを止める必要がある。
【０００３】
しかし、従来の電気配線や電話線用のステップルを使用して、光ファイバケーブルを止める場合、金槌でステップルを打ち付けて光ファイバケーブルを止めることになるが、金槌の打撃力やその衝撃がケーブルに直接印加されると、光ファイバケーブルの芯線にその荷重が印加される。このため、金属線に比べ脆弱な光ファイバケーブルの芯線が破損したり、その光伝送損失が増大する不具合が生じやすい。
【０００４】
そこで、本出願人は、下記特許文献１において、光ファイバケーブルを室内の壁面などに配線する際、安全に光ファイバケーブルを止めて保持することができる配線保持具を提案した。
【０００５】
この配線保持具は、配線保持部材の押え蓋部を開いた状態で、ステップルを配線保持部材の挿入孔に差し込み、金槌でステップルを壁面に対し打ち付けて、配線保持部材を壁面に固定し、その状態で、光ファイバケーブルを配線保持部材の保持用凹部内に挿入し、ヒンジ部を介して押え蓋部を配線保持部材の上に被せるように蓋を閉じ、光ファイバケーブルを保持する。
【特許文献１】特開２００３−２７０４５１号公報
【特許文献２】特開２００６−３５３８５号公報
【考案の開示】
【考案が解決しようとする課題】
【０００６】
しかし、この種のステップルによって配線保持部材を固定する構造の配線保持具は、配線保持部材とステップルが小形で、把持しにくいこともあって、配線保持部材とステップルを持って金槌でステップルを壁面に打ち付ける際、打撃ミスによってステップルを曲げてしまったり、ステップルと一体の配線保持部材を誤って打撃し、それを破損し易いという課題があった。
【０００７】
ところで、ステップルのみを壁面に打ち込むためのステップル打ち工具が、上記特許文献２により従来提案されている。このステップル打ち工具は、板軸の先端部の両側に板ばねを突き出すように固定し、その両板ばねの先端部内側にステップルを挟み込み可能とし、板軸の中間部にホルダーを摺動可能に外嵌させる。そして、板軸先端の板ばね間にステップルを挟むように保持し、その状態で、ステップルを壁面に当て、ホルダーを持って、金槌により板軸の上端を打ち付け、ステップルを壁面に打ち込むように使用される。
【０００８】
しかるに、上記特許文献２のステップル打ち工具は、ステップルのみを壁面に打ち込むことは可能であるが、上記のような光ファイバケーブルを保持する配線保持部材と一体化したステップルを、壁面に良好に打ち込むことは難しいという課題があった。
【０００９】
本考案は、上述の課題を解決するものであり、光ファイバケーブルを保持する配線保持具に付されたステップルを、ハンマーを用いて適正に壁面などに打ち込むことができる配線保持具の打込み治具を提供することを目的とする。
【課題を解決するための手段】
【００１０】
本考案に係る打込み治具は、光ファイバケーブルを保持する配線保持具に付されたステップルを、ハンマーを用いて打込む際に使用する配線保持具の打込み治具であって、筒型に成形され、先端に該ステップルを受け入れる受入凹部を設けると共に、該配線保持具の配線保持部材を押える押え部を設けた治具本体と、該治具本体内に摺動可能に挿入され、先端に該ステップルに当接する当て部を設け、末端にハンマー用の打付け部を設けた打込み部材と、を備え、該治具本体の該受入凹部の内側両面に、該ステップルを受け入れてガイドするガイド溝が該打込み部材の摺動方向に形成されたことを特徴とする。
【００１１】
ここで、上記治具本体の先端に設けた押え部は、上記配線保持部材の凹部に嵌合可能な押えゴムにより形成することができる。
【００１２】
また、打込み部材の先端に設けたステップル用の当て部は、金属製の金属当て部材により形成することができる。
【００１３】
また、上記治具本体と該治具本体内に挿入された上記打込み部材との間には、該打込み部材の抜けを防ぐための係止爪と係止部を設けることができる。
【考案の効果】
【００１４】
上記構成の配線保持具の打込み治具によれば、先ず、配線保持具のステップルを被固定面の壁面などに当て、治具本体の先端のガイド溝にステップルを挿入すると共に、先端の押え部を配線保持部材の凹部に嵌合させて、打込み治具により配線保持具を押える。
【００１５】
この状態で、配線保持具の配線保持部材は被固定面に当接した状態となり、次に、治具本体の外周部を把持し被固定面に対し垂直に保持しながら、打込み部材の末端の打付け部をハンマーで打込む。この打込みにより、打込み部材は、治具本体内を打込み方向に摺動し、打込み部材の先端の当て部がステップル上端に当り、これを押し込んでいく。
【００１６】
このとき、ステップルは治具本体内のガイド溝により押し込み方向をガイドされ、治具本体が被固定面に対し垂直に保持されており、且つ配線保持具の配線保持部材が被固定面に当接した状態であるから、ステップルは被固定面に対し垂直に打込まれ、配線保持具の配線保持部材はステップルにより適正に固定される。
【００１７】
このように、ステップル付きの配線保持具を被固定面に打付ける場合、治具本体の先端の押え部で配線保持具の配線保持部材を被固定面に押し付け、先端の内側のガイド溝にステップルを受け入れて治具本体を垂直に把持しながら、打込み部材の末端をハンマーで打って、ステップルを被固定面に打ち込むから、ステップル付きの配線保持具を任意の壁面などに適正に、効率良く簡単に固定することができる。
【００１８】
また、上記打込み治具において、上記治具本体の先端に設けた押え部を、配線保持部材の凹部に嵌合可能な押えゴムにより形成すれば、治具本体の先端を配線保持部材の凹部に押し付けるだけで、治具本体の先端に配線保持具を簡単に保持させることができる。
【００１９】
また、上記打込み治具において、打込み部材の先端に設けたステップル用の当て部は、金属製の金属当て部材により形成すれば、耐久性を持って確実にステップルを打込むことができる。
【００２０】
また、上記打込み治具において、上記治具本体と打込み部材との間に、打込み部材の抜けを防ぐための係止爪と係止部を設ければ、打込み部材が不用意に治具本体から抜け出る不具合を解消することができる。
【考案を実施するための最良の形態】
【００２１】
以下、本考案の一実施形態を図面に基づいて説明する。図１は光ファイバケーブル用の配線保持具を、ステップルにより壁面などに打込み固定する打込み治具の正面図を示している。図２はその左側面図を、図３はその斜視図を示し、図４はその治具本体１の斜視図を示している。本打込み治具は、光ファイバケーブルを保持する配線保持具３に付されたステップル５を、ハンマーを用いて打込む際に使用する治具である。この打込み治具は、基本的には、図４に示す筒状の治具本体１と、治具本体１内に挿入される打込み部材２とから構成される。
【００２２】
治具本体１は、図４、図５に示すように、合成樹脂により筒型に成形され、内部空間が長手方向に貫通して設けられ、正面側に長方形の開口部１５，１６が形成されている。また、治具本体１は、打込み作業の際、作業者が手で容易に把持可能な大きさに形成されている。治具本体１の先端中央部に、ステップル５を受け入れる受入凹部１２が設けられ、受入凹部１２の近傍の正面寄りに、配線保持具３の配線保持部材４を押えるための押えゴム１１が、上記押え部として嵌着されている。
【００２３】
押えゴム１１は高分子弾性体により直方体形状に形成され、治具本体１の先端に嵌着されるが、使用時には、図８に示す配線保持具３の配線保持部材４の保持用凹部４２に、密に嵌め込むことができる形状、大きさに形成されている。また、ステップル５を受け入れる治具本体１の受入凹部１２の奥には、図５（ｄ）に示すように、その内部空間の両側壁面に、ガイド溝１３が治具本体１の軸方向（打込み部材２の摺動方向）に形成されている。
【００２４】
このガイド溝１３は、治具本体１の先端部に配線保持具３の配線保持部材４の保持用凹部４２を嵌め込んだ際、配線保持具３に付されたステップル５を受入凹部１２で受け入れ、さらにガイド溝１３で受けてステップル５を軸方向にガイドする構造となっている。
【００２５】
上記のように、筒型に形成された治具本体１内には内部空間が軸方向に貫通して形成されるが、この内部空間は、そこに挿入される打込み部材２が軸方向に摺動可能な形状となっている。また、治具本体１内には、図５（ｂ）に示すように、打込み部材２の抜止め用の係止爪２３が係止される係止部１４が形成されている。
【００２６】
打込み部材２は、図６，７に示すように、異形断面を有する棒状に合成樹脂により成形され、治具本体１内に挿入可能な形状、大きさに形成されている。また、打込み部材２は、治具本体１内を軸方向に所定の範囲で摺動可能であるが、異形断面を有し、同様な異形断面の治具本体１の内部空間に挿入されて、軸の回りでは回動不能となっている。
【００２７】
打込み部材２の先端には、ステップル５に当接する当て部として金属当て部材２１が嵌着されている。この金属当て部材２１は、図６に示すように、ステンレス鋼などの金属により直方体形状に形成され、打込み部材２の先端の嵌合凹部に嵌着され、治具の使用時には、ステップル５の上端部に当接する構造となっている。また、打込み部材２の末端（上端）には、ハンマー用の打付け部２２が大径部として形成されている。打込み部材２の先端部の背面側には、治具本体１内での打込み部材２の抜けを防ぐために、係止爪２３が形成されており、治具本体内に挿入された状態で、打込み部材２が上端まで引き上げられたとき、その係止爪２３が治具本体１側の係止部１４と係合して打込み部材２の抜けを防止する構造となっている。
【００２８】
次に、上記構成の打込み治具の使用形態を説明する。この打込み治具は、光ファイバケーブルを屋内などで配線する際に使用される配線保持具３のステップル５を、壁面などの被固定面にハンマーで打込む際に使用される。
【００２９】
配線保持具３は、図８に示すように、光ファイバケーブルを保持する保持用凹部４２を有した配線保持部材４と、配線保持部材４に対しヒンジ４３を介して一体成形され、配線保持部材４の上面を押えて蓋をする押え蓋部６と、配線保持部材４に設けた針挿入孔４１に差し込まれるステップル５と、から構成される。
【００３０】
押え蓋部６の上面には、図示しない光ファイバケーブルを、弾性を持って押える弾性押え部６１が設けられる。さらに、図８（ａ）のように、押え蓋部６の端部には係止爪６２が突設され、この押え蓋部６を配線保持部材４の上に被せるように閉じたとき、係止爪６２が配線保持部材４側の係止部に係止され、これにより、押え蓋部６と配線保持部材４とにより光ファイバケーブルを保持する構造となっている。光ファイバケーブルの配線工事にあたっては、光ファイバケーブルを配線保持部材４に保持させる前に、ステップル５によって配線保持部材４を壁面などの被固定面に固定する。
【００３１】
このようなステップル５により配線保持具３を壁面などの被固定面に配線保持具３の配線保持部材４を固定する場合、先ず、配線保持具３の配線保持部材４の針挿入孔４１に差し込んだステップル５を被固定面の壁面などに当て、治具本体１の先端の受入凹部１２からガイド溝１３にステップル５を導入するようにして、先端の押えゴム１１を配線保持部材４の保持用凹部４２内に嵌合させ、打込み治具の治具本体１によって配線保持具３を押える。
【００３２】
このとき、作業者は、一方の手で配線保持具３を持って任意の位置にステップル５を押し付けながら、他方の手で打込み治具の治具本体１を持ち、その先端を配線保持具３に押し当てるだけで、簡単に押えゴム１１を保持用凹部４２内に嵌合させると共に、ステップル５の上端部をその先端の受入凹部１２からガイド溝１３に導入し、セットすることができる。
【００３３】
なお、ステップル５付きの配線保持部材４を壁面に対しセットする前に、図９のように、治具本体１の先端にステップル５付きの配線保持部材４を嵌め込み、その状態で、ステップル５の先端を壁面の任意の位置に当て、治具本体１を押し付けて、配線保持部材４を壁面に対しセットすることもできる。この場合、最初に、治具本体１の先端の受入凹部１２にステップル５付きの配線保持部材４を嵌め込み、ステップル５の上端をガイド溝１３に導入すると共に、配線保持部材４の保持用凹部４２を治具本体１の先端の押えゴム１１に嵌合させる。
【００３４】
この状態で、図９のように、配線保持具３の配線保持部材４は被固定面に当接した状態となり、次に、治具本体１の外周部を把持して、被固定面に対し治具本体１を垂直に保持しながら、打込み部材２の末端の打付け部２２をハンマーで打込む。この打込みにより、打込み部材２は、治具本体１内を打込み方向に摺動し、打込み部材２の先端の金属当て部材２１がステップル５の上端に当り、これを押し込んでいく。
【００３５】
このとき、ステップル５は治具本体１内の両側のガイド溝１３に保持されて押し込み方向をガイドされ、治具本体１が被固定面に対し垂直に保持されており、且つ配線保持具３の配線保持部材４が被固定面に当接しているから、ステップル５は被固定面に対し垂直に打込まれ、配線保持具３の配線保持部材４はステップル５により適正に固定される。
【００３６】
この後、固定された配線保持具３の配線保持部材４の保持用凹部４２には、配線する光ファイバケーブルが挿入され、その上から押え蓋部６が被せられ、係止爪６２の係止により押え蓋部６が嵌着されて光ファイバケーブルが配線保持されることとなる。
【００３７】
このように、ステップル５付きの配線保持具３を被固定面に打付ける場合、治具本体１の先端の押えゴム１１で配線保持具３の配線保持部材４を被固定面に押し付け、先端内側のガイド溝１３にステップル５を受け入れて、治具本体１を垂直に把持しながら、打込み部材２の末端をハンマーで打って、打込み部材２の先端の金属当て部材２１でステップル５を押圧し、被固定面に打ち込むから、ステップル５はガイド溝１３にガイドされつつ壁面に対し垂直に打ち込まれ、配線保持具３は壁面に良好に固定される。したがって、従来のように、ハンマーの打撃ミスによってステップルを曲げたり、ステップルと一体の配線保持部材を誤って打撃してそれを破損することがなく、ステップル付き配線保持具３を、任意の壁面などに適正に且つ効率良く簡単に固定することができる。
【図面の簡単な説明】
【００３８】
【図１】本発明の一実施形態を示す配線保持具の打込み治具の正面図である。
【図２】同打込み治具の左側面図である。
【図３】同打込み治具の斜視図である。
【図４】治具本体の斜視図である。
【図５】治具本体の正面図（ａ）、左側面図（ｂ）、平面図（ｃ）、底面図（ｄ）である。
【図６】打込み部材の斜視図である。
【図７】打込み部材の正面図（ａ）、左側面図（ｂ）、底面図（ｃ）である。
【図８】配線保持具の正面図（ａ）、平面図（ｂ）、底面図（ｃ）である。
【図９】打込み治具の使用形態を示す説明図である。
【符号の説明】
【００３９】
１      治具本体
２      打込み部材
３      配線保持具
４      配線保持部材
５      ステップル
６      押え蓋部
１１    押えゴム
１２    受入凹部
１３    ガイド溝
２１    金属当て部材
２２    打付け部
２３    係止爪                                                                        
【図１】
0003137578.tif 000003
【図２】
0003137578.tif 000004
【図３】
0003137578.tif 000005
【図４】
0003137578.tif 000006
【図５】
0003137578.tif 000007
【図６】
0003137578.tif 000008
【図７】
0003137578.tif 000009
【図８】
0003137578.tif 000010
【図９】
0003137578.tif 000011